(57)【要約】【課題】煩瑣で複雑な工程によるのでなく、従来の工程の中で、安価に、美麗に前後で外観的には二つの袋体を一個のヘッダーで並列的に支持する二袋懸吊形折り畳み袋を提供する。【解決手段】上方部に吊り下げ孔を形成してなるヘッダーを有し、該ヘッダーの下部には、上部開口の上袋体と下部開口の下袋体とが中央シール部を介して縦方向に連続して形成されると共に、前記中央シール部の側縁に切断ミシン目を形成してあり、上袋体の上部開口縁に沿って形成された上フラップと、下袋体の下部開口縁にと沿って形成された下フラップとがそれぞれ形成され、前記下フラップは下袋体の下部開口縁を閉封すると共に、前記上フラップは前記上袋体と下袋体とからなる袋体を中央中央シール部より折り曲げ、下袋体の閉封した下部開口縁を上袋体の上部開口に重合した状態で下袋体の閉封縁の外側を貼着閉封するようにした。【選択図】          図１
0003116805.tif 000002
【実用新案登録請求の範囲】
【請求項１】
上方部に吊り下げ孔を形成してなるヘッダーを有し、該ヘッダーの下部には、上部開口の上袋体と下部開口の下袋体とが中央シール部を介して縦方向に連続して形成されると共に、前記中央シール部の側縁に切断ミシン目を形成してあり、上袋体の上部開口縁に沿って形成された上フラップと、下袋体の下部開口縁に沿って形成された下フラップとがそれぞれ形成され、前記下フラップを下袋体の下部開口縁を閉封すると共に、前記上フラップは前記上袋体と下袋体とからなる袋体を中央中央シール部より折り曲げ、下袋体の閉封した下部開口縁を上袋体の上部開口に重合した状態で下袋体の閉封縁の外側を貼着閉封するようにしたことを特徴する二袋懸吊形折り畳み袋。
【請求項２】
切断ミシン目は上袋体側に形成してある請求項１記載の二袋懸吊形折り畳み袋。
【請求項３】
切断ミシン目は下袋体側に形成してある請求項１記載の二袋懸吊形折り畳み袋。
【請求項４】
切断ミシン目は上袋体側及び下袋体側の両側縁に形成してある請求項１記載の二袋懸吊形折り畳み袋。
【考案の詳細な説明】
【考案の詳細な説明】
【技術分野】
【０００１】この考案は、コンビニやスーパー等の狭い陳列スペースを有効に同種又は異種の二つの商品を効率的に展示することの出来るディスプレイ用の二袋懸吊形折り畳み袋に関する。
【技術の背景】
【０００２】従来の展示用のボリ塩化ビニル樹脂製のプラスチック袋では、ヘッダー下部には一個の収納する袋が懸吊され、その内部に同種又は異種の二つの商品を収納しようとして、内部を仕切片によって区画された一個の袋体の内部に同種又は異種の二以上複数の商品が収容されるものは存在する。（例えば特許文献  図１参照）
このような場合、内部に収容された複数の商品のうちの一つの商品のみを取り出しただけでも、内部に収納された他の商品の鮮度は外観的に損なわれることになる。
更に、複数の袋を下部に縦長に連続させれば狭い陳列スペースの内部に効率よく、美しく展示できないことになる。
【０００３】
【特許文献１】  実開平７−４３４７号
【考案の開示】
【考案が解決しようとする課題】
【０００４】複数個の商品を狭い展示スペースの中で商品鮮度を保ちながら、効率よく且つ美麗に展示すべくしようとすれば前後で並列的に重合する格別の包装体を一個のヘッダーで並列的に支持せられ、且つ該複数の包装体のうちの一つのみを開口して内部に収納された商品を個別に利用し得る二袋懸吊形折り畳み袋が必要となる。
しかし、このような袋体を、煩雑な工程を経ずに従来の製造工程の中で安価に製造することが強く要望されているところである。【０００４】そこで、この考案は、上記の要請に応えるべく、煩瑣で複雑な工程によるのでなく、従来の工程の中で、安価に、美麗に前後で外観的には二つの袋体を一個のヘッダーで並列的に支持する二袋懸吊形折り畳み袋を実現したものである。
【課題を解決するための手段】
【０００５】従って、この考案は、上述の課題を解決すべく、上方部に吊り下げ孔を形成してなるヘッダーを有し、該ヘッダーの下部には、上部開口の上袋体と下部開口の下袋体とが中央シール部を介して縦方向に連続して形成されると共に、前記中央シール部の片側縁に切断ミシン目を形成してあり、上袋体の上部開口縁に沿って形成された上フラップと、下袋体の下部開口縁にと沿って形成された下フラップとがそれぞれ形成され、前記下フラップは下袋体の下部開口縁を閉封すると共に、前記上フラップは前記上袋体と下袋体とからなる袋体を中央中央シール部より折り曲げ、下袋体の閉封した下部開口縁を上袋体の上部開口に重合した状態で下袋体の閉封縁の外側を貼着閉封するようにしてあるものである。【０００６】切断ミシン目は上袋体側にのみに形成してあるものである。【０００７】切断ミシン目は下袋体側にのみに形成してあるものである。【０００８】切断ミシン目は上袋体側及び下袋体側の両側に形成してあるものである。
【考案の効果】
【０００９】この考案による、透明性のボリ塩化ビニル樹脂製の二袋懸吊形折り畳み袋では、複数の商品を格別に独立して収納することが出来るので、一個の商品を取り出した後でも、もう一つの商品の外観鮮度は保たれたまま保存することができる。
しかも、このような二袋懸吊形折り畳み袋の製造は従来の展示用袋体の製造工程の中で製造できるので、非常に安価に提供することができることとなる。
【考案を実施するための最良の形態】
【００１０】この考案は、上方部に吊り下げ孔を形成してなるヘッダーを有し、該ヘッダーの下部には、上部開口の上袋体と下部開口の下袋体とが中央シール部を介して縦方向に連続して形成されると共に、前記中央シール部の側縁に切断ミシン目を形成してあり、上袋体の上部開口縁に沿って形成された上フラップと、下袋体の下部開口縁にと沿って形成された下フラップとがそれぞれ形成され、前記下フラップは下袋体の下部開口縁を閉封すると共に、前記上フラップは前記上袋体と下袋体とからなる袋体を中央熱シール部より折り曲げ、下袋体の閉封した下部開口縁を上袋体の上部開口に重合した状態で下袋体の閉封縁の外側を貼着閉封するようにしたものである。
【実施例】
【００１１】透明性のボリ塩化ビニル樹脂製の二袋懸吊形折り畳み袋では、上方部には、展示用吊り下げ孔２を形成してなる強腰で、厚めのヘッダー１を有し、該ヘッダー１の下部には、上部開口の上袋体３と下部開口の下袋体４とが中央熱シール部５を介して縦方向に連続して形成される。【００１２】前記中央シール部５の片側縁又は両側縁に沿って切断ミシン目６ａ、６ｂを形成してあり、ヘッダー１の下部縁には、上袋体３の上部開口部７の上縁に沿って形成された上フラップ８を形成してある。更に、下袋体４の下部開口部９の下縁に沿って形成された下フラップ１０にそれぞれ形成されている。【００１３】上部開口部７及び下部開口部９より上袋体３及び下袋体４の内部に所望の被展示商品ａを収容する。上袋体３及び下袋体４に収容される複数の被展示商品ａとして、例えばパンスト、ハイソックスのような商品は、相互に異種、同種商品であってもよい。下袋体４に被展示商品ａを収容した上で前記下フラップ１０を曲折し、下フラップ１０の内側部に貼着部１１を下袋体４の下部開口部９の下縁を閉封すると共に、前記上袋体と下袋体とからなる縦長の袋体を中央中央シール部５より折り曲げた状態において、前記上フラップ８の貼着部１３を下袋体４の閉封縁の外側を貼着閉封するようにすると、図３（ハ）に示すように、下袋体の閉封縁１２の外側を貼着することによって、ヘッダー１の下部に上袋体３と下袋体４と個々に独立して並んだ状態で懸吊りされるようになる。当然このような状態では、上袋体３と下袋体４の内部には被展示商品ａが収容され図２のように商品包装が完了する。【００１４】上袋体３及び下袋体４の内部に入れる被展示商品は同種の商品であっても、異種の商品であってもかまわない。【００１５】被展示商品ａを取り出す時は、図５（イ）に示すように、上フラップ８の貼着部１３を剥がし、中央シール部５を介して上袋体３と下袋体４とからなる縦長に形成される上下に連続する袋体の上袋体３側に形成さた切断ミシン目６ａを切断すれば、上袋体３の切断ミシン目６ａが開口して上袋体３に収納された被展示商品ａを取り出すことができるが、この状態にあっても下袋体４は、図図５（ロ）に示すように、閉封状態を維持しているから、下袋体４に収納された被展示商品ａは依然として外観的にも完全に閉封時のままであるから、下袋体４内部の被展示商品ａも買った時の状態であるから、衛生的である。【００１６】中央熱シール部５の両側縁に沿って切断ミシン目６ａ、６ｂを形成した場合、使用者は上袋体３と下袋体４のいずれの袋体の一方のみを使用して、他方を包装状態のまま保存することができる。
【産業上の利用の可能性】
【００１７】この考案の二袋懸吊形折り畳み袋によれば、複数の商品は、各々独立した袋体内に収容されているので、商品を利用する者が各商品を一つ一つ利用する場合であっても使用されない側の袋体内部の商品は依然としてほぼ完全な形で包装されて、その鮮度を保っていることが外観的にも明確になるので、衣類、雑貨、食品の業界に到るまで幅広く利用することができる。
【図面の簡単な説明】
【００１８】
【図１】この考案の二袋懸吊形折り畳み袋の斜視図である。
【図２】この考案の二袋懸吊形折り畳み袋の縦断面図である。
【図３】図３（イ）は縦方向に連続する上袋体と下袋体を伸長させた状態の二袋懸吊形折り畳み袋の縦断面図である。図３（ロ）は上袋体と下袋体の内部に商品を収納して下フラップを閉封した状態の二袋懸吊形折り畳み袋の縦断面である。図３（ハ）は上袋体と下袋体とを並列せしめて閉封した状態の二袋懸吊形折り畳み袋の縦断面である。
【図４】商品の包装完了時の二袋懸吊形折り畳み袋の縦断面図である。
【図５】図５（イ）は上袋体を下袋体から離脱せしめた状態を示す二袋懸吊形折り畳み袋の平面図である。図５（ロ）は上袋体を下袋体から完全に離脱せしめた後の状態を示す二袋懸吊形折り畳み袋の平面図である。
【符号の説明】
１．．．ヘッダー
２．．．展示用吊り下げ孔
３．．．上袋体
４．．．下袋体
５．．．中央熱シール部
６ａ．．上袋体側の切断ミシン目
６ｂ．．下袋体側の切断ミシン目
７．．．上部開口部
８．．．上フラップ
９．．．下部開口部
１０．．下フラップ
１１．．下フラップの貼着部
１２．．下袋体の閉封縁
１３．．上フラップの貼着部
ａ  ．．被展示商品
【図１】
0003116805.tif 000003
【図２】
0003116805.tif 000004
【図３】
0003116805.tif 000005
【図４】
0003116805.tif 000006
【図５】
0003116805.tif 000007